(57)【要約】【課題】端子の抜け止めをより確実に行うことができるモータを提供する。【解決手段】モータは、回転子が回転可能に収容される有底筒状のヨークと、前記ヨークの開口端を閉塞するように固定されるエンドブラケットとを備える。エンドブラケットには、係止部としての爪部１２ｈが形成される。また、給電用ターミナル３０に突出部３１が形成される。【選択図】図５
2016052216.tif 000002
【特許請求の範囲】
【請求項１】
回転子が回転可能に収容される有底筒状のヨークと、前記ヨークの開口端を閉塞するように固定されるエンドブラケットとを備え、
前記エンドブラケットには、少なくとも２つの板部の間に介在されるように組み付けられる端子が保持され、
前記２つの板部の内の一方の板部には係止部が設けられ、
前記係止部が設けられる板部とは異なる板部、及び、端子の少なくとも一方に、前記端子を前記板部の間に挿入する際の挿入方向の上流側であって挿入方向と交差する方向に迫り出す突出部が形成されることを特徴とするモータ。
【請求項２】
請求項１に記載のモータにおいて、
前記突出部は、前記端子に形成されるものであって、前記係止部が形成される板部とは異なる板部側に突出させて形成されることを特徴とするモータ。
【請求項３】
請求項１に記載のモータにおいて、
前記突出部は、前記係止部が設けられる板部とは異なる板部に形成されるものであって、前記端子側に突出させて形成されることを特徴とするモータ。
【発明の詳細な説明】
【技術分野】
【０００１】
本発明は、モータに関する。
【背景技術】
【０００２】
従来、モータとしては、略有底筒状のヨークと、ヨークの開口端を閉塞するエンドブラケットとでなるハウジング内に回転子を備えたものがある（例えば、特許文献１参照）。
このようなモータでは電力供給が必要であるため、外部からの電力供給を受ける端子がハウジング内に収容されている。このような端子は、エンドブラケットに形成された２つの部材間（特許文献１では溝部と係止爪との間）に介在されて、一方の部材（特許文献１では係止爪）に形成された鉤状の突起によって端子の抜け止めが行われている。
【先行技術文献】
【特許文献】
【０００３】
【特許文献１】特開２０１０−２６３７２８号公報
【発明の概要】
【発明が解決しようとする課題】
【０００４】
ところで、上記のようなモータでは、図７に示すように板状の端子５０をエンドブラケットの溝部５１壁面と係止爪５２との間に介在（挿入）することで端子５０を保持している。そして、係止爪５２先端の爪部５２ａによって端子５０の抜け止めが行われている。しかしながら、係止爪５２先端の爪部５２ａと溝部５１との干渉を避けるために係止爪５２と溝部５１とは端子５０の板厚よりも離間させている。しかしながら、爪部５２ａの突出量が小さいと端子５０が抜ける虞がある。
【０００５】
本発明は、上記課題を解決するためになされたものであって、その目的は、端子の抜け止めをより確実に行うことができるモータを提供することにある。
【課題を解決するための手段】
【０００６】
上記課題を解決するモータは、回転子が回転可能に収容される有底筒状のハウジングと、前記ハウジングの開口端を閉塞するように固定されるエンドブラケットとを備え、エンドブラケットには、少なくとも２つの板部の間に介在されるように組み付けられる端子が保持され、前記２つの板部の内の一方の板部には係止部が設けられ、前記係止部が設けられる板部とは異なる板部、及び、端子の少なくとも一方に、前記端子を前記板部の間に挿入する際の挿入方向の上流側であって挿入方向と交差する方向に迫り出す突出部が形成される。
【０００７】
この構成によれば、係止部の他に、係止部が形成される板部とは異なる板部及び端子の少なくとも一方に突出部が形成されることで、この突出部と、突出部と当接する部材とによって端子を、係止部が形成される板部側に付勢することが可能となる。このため、係止部によってより確実に端子の抜け止めを行うことができる。
【０００８】
上記モータにおいて、前記突出部は、前記端子に形成されるものであって、前記係止部が形成される板部とは異なる板部側に突出させて形成されることが好ましい。
この構成によれば、突出部を端子側に形成することで端子を係止部が形成される板部側に付勢することが可能となる。このため、係止部によってより確実に端子の抜け止めを行うことができる。
【０００９】
上記モータにおいて、前記突出部は、前記係止部が設けられる板部とは異なる板部に形成されるものであって、前記端子側に突出させて形成されることが好ましい。
この構成によれば、係止部が設けられる板部とは異なる板部に突出部を形成することで、係止部が形成される板部側に付勢することが可能となる。このため、係止部によってより確実に端子の抜け止めを行うことができる。
【発明の効果】
【００１０】
本発明のモータによれば、端子の抜け止めをより確実に行うことができる。
【図面の簡単な説明】
【００１１】
【図１】一実施形態におけるモータの正面図である。
【図２】同上におけるモータの平面図である。
【図３】同上におけるモータの断面図である。
【図４】図２の部分拡大図である。
【図５】図４の５−５断面図である。
【図６】別例における端子の抜け止め構造を説明するための説明図である。
【図７】参考例としての端子の抜け止め構造を説明するための説明図である。
【発明を実施するための形態】
【００１２】
以下、モータの一実施形態について説明する。
図１〜図３に示すように、本実施形態のモータ１０は、略有底筒状のヨーク１１と、ヨーク１１の開口端１１ａを略閉塞するように固定されるエンドブラケット１２とを有する。
【００１３】
図３に示すように、ヨーク１１の内周面には、界磁マグネット１３が固着されている。また、ヨーク１１の頂部（図３中、上部）には、径が小さくされて軸方向に延びる小径部１１ｂが形成される。この小径部１１ｂは、その内周面に軸受１４が保持されている。
【００１４】
そして、ヨーク１１において、界磁マグネット１３の内側には、回転子（電機子）１５が収容されている。回転子１５は、一端側（図３中、上端側）が軸受１４に支持される回転軸１６と、回転軸１６に固定されるとともに巻線が巻装される電機子コア１７と、電機子コア１７よりも他端側（図３中、下端側）の回転軸１６に固定されるとともに巻線と接続される整流子１８とを有する。
【００１５】
エンドブラケット１２は、例えば樹脂材にてヨーク１１の開口端１１ａを略閉塞可能に形成されている。エンドブラケット１２の中央には、回転軸１６の軸方向に沿って延びる貫通孔１２ａが形成される。貫通孔１２ａには回転軸１６の他端側を支持するための軸受２０が保持されている。即ち、回転軸１６は、その一端側が軸受１４に支持され、他端側が軸受２０に支持されて回転可能に支持されている。
【００１６】
また、図２に示すように、エンドブラケット１２には、ヨーク１１の外部（軸方向と直交する方向）に突出して負荷側の装置に固定するための固定部１２ｂが計４つ形成される。また、エンドブラケット１２には、４つの固定部１２ｂの内の２つの固定部１２ｂの間に同じくヨーク１１の外部に突出するようにコネクタ部１２ｃが一体形成されている。コネクタ部１２ｃは制御装置から延びる外部コネクタＣがモータ１０の軸方向に沿って嵌着されるように略資格筒状をなす筒状部１２ｄを有する。
【００１７】
エンドブラケット１２の内側面には、軸方向から見て、ヨーク１１の径方向において移動可能に一対の給電用ブラシ２１，２２が保持され、それら給電用ブラシ２１，２２をそれぞれ整流子１８（図３参照）の外周面に押圧接触させるべく径方向内側に付勢する捩りコイルばね２４，２５が設けられている。給電用ブラシ２１，２２は、コネクタ部１２ｃとは貫通孔１２ａを挟んだ略反対側において互いに９０度の間隔を有して配設され、各給電用ブラシ２１，２２間の領域内に捩りコイルばね２４，２５が配置されている。
【００１８】
給電用ブラシ２１，２２の内の一方の給電用ブラシ２１は、ピッグテール２６を介してサーミスタ２７の一端と接続される。このサーミスタ２７の他端には、給電用ターミナル２８の一端が接続されている。
【００１９】
給電用ブラシ２１，２２の内の他方の給電用ブラシ２２は、ピッグテール２９を介して給電用ターミナル３０の一端と接続されている。
２つの給電用ターミナル２８，３０は、給電用ブラシ２１，２２側においてエンドブラケット１２の貫通孔１２ａの両側に分かれていたものが徐々に近接し、ヨーク１１の外部に突出するコネクタ部１２ｃまで延びている。また、２つの給電用ターミナル２８，３０は、導電性の金属板にて形成され、その平板面部分が軸方向に向くようにしてエンドブラケット１２に形成された収容溝部１２ｅ，１２ｆに沿って配置される。このとき、エンドブラケット１２に形成された軸方向に延びる係止爪１２ｇと溝部１２ｅ，１２ｆの内側面との間に介在されて、係止爪１２ｇによって軸方向の抜け止めが行われている。係止爪１２ｇは、その先端部が鉤状をなす爪部１２ｈを有する。
【００２０】
また、図４及び図５に示すようにターミナル３０は、板厚方向に一部が切り起こされてなる突出部３１を有する。突出部３１は、溝部１２ｆと係止爪１２ｇとの間に挿入された状態で溝部１２ｆの壁面と当接するように構成される。突出部３１は、ターミナル３０における係止爪１２ｇとの対向位置からずれた位置（ターミナル３０の挿入方向と直交する方向にずらした位置）に形成される。なお、図示しないもののターミナル２８も同様に突出部３１を有する。
【００２１】
給電用ターミナル２８，３０の他端は、Ｌ字形状をなして給電端子部２８ａ，３０ａとして形成され、コネクタ部１２ｃの筒状部１２ｄ内でその給電端子部２８ａ，３０ａが軸方向に向けられている。
【００２２】
次に、本実施形態の作用を説明する。
本実施形態のモータ１０は、コネクタ部１２ｃに外部コネクタＣが電気的に接続されることで、図示しない制御装置からの駆動電源が給電用ターミナル２８，３０を介して給電用ブラシ２１，２２に供給され、この給電用ブラシ２１，２２から整流子１８を通じて巻線に供給されて回転子１５が回転される。
【００２３】
ここで、給電用ターミナル２８，３０は、自身の突出部３１が溝部１２ｅ，１２ｆの壁面と当接することによって係止爪１２ｇ側に付勢される。このため、係止爪１２ｇに形成される爪部１２ｈが、給電用ターミナル２８，３０が抜けようとして給電用もターミナル２８，３０の抜け方向である軸方向において当接することとなる。これによって、給電用ターミナル２８，３０の抜け止めが実施されている。
【００２４】
次に、本実施形態の効果を記載する。
（１）係止部としての爪部１２ｈの他に、給電用ターミナル２８，３０に突出部３１が形成されることで、この突出部３１と、突出部３１と当接する溝部１２ｅ，１２ｆの壁面とによって給電用ターミナル２８，３０を係止爪１２ｇ側に付勢することが可能となる。このため、給電用ターミナル２８，３０が抜けようと軸方向に移動した場合であっても係止爪１２ｇの爪部１２ｈと軸方向（ターミナル２８，３０の抜け方向）において当接するため、より確実に給電用ターミナル２８，３０の抜け止めを行うことができる。
【００２５】
（２）突出部３１は、給電用ターミナル２８，３０を切り起こすことで形成しているため、比較的容易に形成することができる。また、切り起こしているため、突出部３１は、弾性を有し、好適に給電用ターミナル２８，３０を付勢することができる。
【００２６】
なお、上記実施形態は、以下のように変更してもよい。
・上記実施形態では、給電用ターミナル２８，３０の一部を板厚方向に切り起こすことで突出部３１を形成したが、これに限らず、以下のように変更してもよい。
【００２７】
図６に示すように、溝部１２ｆの壁面に突出部３１を形成する構成を採用してもよい。同様に溝部１２ｅの壁面に突出部３３を形成する構成を採用してもよい。
・上記実施形態では、突出部３１の形成位置として、ターミナル２８，３０における係止爪１２ｇとの対向位置からずれた位置（ターミナル２８，３０の挿入方向と直交する方向にずらした位置）に形成する構成としたが、これに限らない。ターミナル２８，３０における係止爪１２ｇとの対向位置に突出部３１を形成する構成を採用してもよい。
【００２８】
・上記実施形態並びに上記各変形例は適宜組み合わせてもよい。
【符号の説明】
【００２９】
１０…モータ、１１…ヨーク、１１ａ…開口端、１２…エンドブラケット、１２ｅ，１２ｆ…溝部（板部）、１２ｇ…係止爪（板部）、１２ｈ…爪部（係止部）、１５…回転子、２７…給電用ターミナル（端子）、３０…給電用ターミナル（端子）、３１…突出部、３２…突出部、３３…突出部。
【図１】
2016052216.tif 000003
【図２】
2016052216.tif 000004
【図３】
2016052216.tif 000005
【図４】
2016052216.tif 000006
【図５】
2016052216.tif 000007
【図６】
2016052216.tif 000008
【図７】
2016052216.tif 000009